(57)【要約】【課題】  部分受信のような固定受信よりも受信環境がはるかに劣悪の状態であっても、良好な状態で受信することが可能となるデジタル放送の送信及び受信の技術を提供すること。【解決手段】  地上デジタル放送において、１３個のセグメントは、Ａ階層、Ｂ階層、Ｃ階層の３階層に分けることができ、中央部の１セグメントは携帯受信機向けの部分受信階層（Ａ階層）に割り当てられている。このような複数のセグメントからなるデジタル放送において、通常多重されるであろう部分階層以外の信号をセグメントに多重せずに、部分階層の信号を複数のセグメントに多重して送信する。部分階層を受信する側では、部分階層の信号が多重化されたセグメントの中から、受信状態が最良のセグメントを選択する選択ダイバーシチ方式で受信する。または、部分階層の信号が多重化された複数のセグメントの信号を合成して受信する合成ダイバーシチ方式で受信する。【選択図】  図２
2006020128.tif 000002
【特許請求の範囲】
【請求項１】
複数のセグメントから成るデジタル放送信号の送信方法であって、
１セグメントの部分受信階層用の信号を２以上のセグメントに多重してデジタル放送信号を送信することを特徴とするデジタル放送信号の送信方法。
【請求項２】
多重するセグメントのうち一つは、部分受信階層用のセグメントであることを特徴とする請求項１に記載のデジタル放送信号の送信方法。
【請求項３】
複数の階層からなるデジタル放送信号を受信し、前記複数の階層からなるデジタル放送信号のうち、部分受信階層のセグメントの信号を抽出し、この信号を２以上のセグメントに多重してデジタル放送信号を再送信することを特徴とする請求項１又は請求項２に記載のデジタル放送信号の送信方法。
【請求項４】
複数のセグメントから成るデジタル放送信号の送信方法であって、
少なくとも１以上のセグメントから成る階層の信号を、少なくとも２以上多重してデジタル放送信号を送信することを特徴とするデジタル放送信号の送信方法。
【請求項５】
２以上のセグメントに部分受信階層の信号が多重化されたデジタル放送信号の受信方法であって、
ダイバーシチ方式により、部分受信階層の信号を２以上のセグメントから受信することを特徴とするデジタル放送信号の受信方法。
【請求項６】
部分受信階層用のセグメントの受信状態が悪化した場合、他のセグメントに多重された部分受信階層の信号を選択して受信することを特徴とする請求項５に記載のデジタル放送信号の受信方法。
【請求項７】
各セグメントの受信信号の誤り率に基づいて、受信するセグメントを選択することを特徴とする請求項５又は請求項６に記載のデジタル放送信号の受信方法。
【請求項８】
部分受信階層用のセグメントの部分受信階層信号と、他のセグメントに多重された部分受信階層信号とを、合成ダイバーシチ方式により受信することを特徴とする請求項５に記載のデジタル放送信号の受信方法。
【請求項９】
選択したセグメントの信号の誤り率に基づいて、合成比率を決定することを特徴とする請求項１又は請求項４に記載のデジタル放送信号の受信方法。
【請求項１０】
同一の階層の信号が少なくとも２以上多重化されたデジタル放送信号の受信方法であって、
ダイバーシチ方式により、所定の階層信号を、前記２以上多重化されたデジタル放送信号から受信することを特徴とするデジタル放送信号の受信方法。
【請求項１１】
複数のセグメントから成るデジタル放送信号の送信システムであって、
１セグメントの部分受信階層用の信号を２以上のセグメントに多重してデジタル放送信号を送信する手段を有することを特徴とするデジタル放送信号の送信システム。
【請求項１２】
多重するセグメントのうち一つは、部分受信階層用のセグメントであることを特徴とする請求項１１に記載のデジタル放送信号の送信システム。
【請求項１３】
複数の階層からなるデジタル放送信号を受信する受信手段と、
前記複数の階層からなるデジタル放送信号から、部分受信階層用のセグメントの信号を抽出するバンドパスフィルタと、
前記部分受信階層用のセグメントの信号を、複数のセグメントの周波数に変換して多重化する手段と
を有することを特徴とする請求項１１又は請求項１２に記載のデジタル放送信号の送信システム。
【請求項１４】
複数の階層からなるデジタル放送信号を受信する受信手段と、
受信したデジタル放送信号を復調して誤り訂正を行い、再送信する部分受信階層用のデータのみを抽出する手段と、
前記部分受信階層用のデータを複数のセグメントの周波数に変換して多重化する手段と
を有することを特徴とする請求項１１又は請求項１２に記載のデジタル放送信号の送信システム。
【請求項１５】
複数の階層からなるデジタル放送信号を受信する受信手段と、
受信したデジタル放送信号を復調し、再送信する部分受信階層用のデータのみを抽出する手段と、
前記部分受信階層用のデータを複数のセグメントの周波数に変換して多重化する手段と
を有することを特徴とする請求項１１又は請求項１２に記載のデジタル放送信号の送信システム。
【請求項１６】
２以上のセグメントに部分受信階層の信号が多重化されたデジタル放送信号の受信機であって、
ダイバーシチ方式により、部分受信階層の信号を２以上のセグメントから受信する手段を有することを特徴とするデジタル放送信号の受信機。
【請求項１７】
部分受信階層用のセグメントの受信状態が悪化した場合、他のセグメントに多重された部分受信階層の信号を選択する受信セグメント選択手段を有することを特徴とする請求項１６に記載のデジタル放送信号の受信機。
【請求項１８】
前記受信セグメント選択手段は、各セグメントの受信信号の誤り率に基づいて、受信するセグメントを選択することを特徴とする請求項１６又は請求項１７に記載のデジタル放送信号の受信機。
【請求項１９】
部分受信階層用のセグメントの部分受信階層信号と、他のセグメントに多重された部分受信階層信号とを、ダイバーシチ方式により受信する合成手段を有することを特徴とする請求項１６に記載のデジタル放送信号の受信機。
【請求項２０】
前記合成手段は、選択したセグメントの信号の誤り率に基づいて、合成比率を決定することを特徴とする請求項１６又は請求項１９に記載のデジタル放送信号の受信機。
【発明の詳細な説明】
【技術分野】
【０００１】
本発明はデジタル放送における特定階層の送信又は受信技術に関し、特に、ダイバーシチ方式を用いた部分受信階層の送信又は受信の技術に関する。
【背景技術】
【０００２】
近年、現在の地上放送波に代わる放送として、地上デジタル放送が開始された。この地上デジタル放送システムは、１チャンネルの伝送帯域を１３個の帯域（ＯＦＤＭセグメント）に分割する。ＯＦＤＭセグメントとは、データキャリアに制御信号キャリアを付加した伝送信号の基本帯域（テレビチャンネル帯域の１／１３）信号である。１３セグメントに分割された１チャンネルの伝送帯域は、セグメントごとに、伝送パラメータや伝送する情報を設定することができる。
【０００３】
このため、１チャンネルで高精細テレビジョン放送を放送したり、１チャンネルで複数の標準テレビジョン放送やデータ放送などさまざまなサービスを組み合わせて放送したりすることができる。
【０００４】
また、一部のセグメントの伝送パラメータを妨害に強く設定することにより、家庭での受信に加えて、自動車等の移動体での受信や携帯端末の受信（以下、部分受信と称する）に適したサービスを行うことも可能である。地上デジタル放送では、１３個のセグメントの中央の１セグメントを携帯向け放送サービス（部分受信）を行う予定であり、この携帯端末等を用いた部分受信用の放送サービスが期待されている。
【０００５】
一方、従来、移動体における受信には、ダイバーシチ受信という技術が用いられ、移動体、例えば自動車などに搭載されるデジタル放送受信機にもダイバーシチ受信が用いられることが予想され、これに関する技術も提案されている（例えば、特許文献１）。
【０００６】
【特許文献１】特開２００３−１１０５３６号公報
【発明の開示】
【発明が解決しようとする課題】
【０００７】
ところで、携帯向け放送サービスのような場合、部分受信する者が多い特定のエリア、例えば、公園や、駅、列車内等に再送信することが考えられる。
【０００８】
一方、部分受信の受信は、移動を前提としており、又、受信場所が予測できないので、固定受信よりも受信環境がはるかに劣悪である。
【０００９】
しかしながら、このような受信環境を考えた送信技術や、受信技術は提案されていないのが現状である。
【００１０】
そこで、本発明は上記課題に鑑みて発明されたものであって、その目的は部分受信のような固定受信よりも受信環境がはるかに劣悪の状態であっても、良好な状態で受信することが可能となるデジタル放送の送信及び受信の技術を提供することにある。
【課題を解決するための手段】
【００１１】
上記課題を解決する第１の発明は、複数のセグメントから成るデジタル放送信号の送信方法であって、
１セグメントの部分受信階層用の信号を２以上のセグメントに多重してデジタル放送信号を送信することを特徴とする。
【００１２】
上記課題を解決する第２の発明は、上記第１の発明において、多重するセグメントのうち一つは、部分受信階層用のセグメントであることを特徴とする。
【００１３】
上記課題を解決する第３の発明は、上記第１又は第２の発明において、複数の階層からなるデジタル放送信号を受信し、前記複数の階層からなるデジタル放送信号のうち、部分受信階層のセグメントの信号を抽出し、この信号を２以上のセグメントに多重してデジタル放送信号を再送信することを特徴とする。
【００１４】
上記課題を解決する第４の発明は、複数のセグメントから成るデジタル放送信号の送信方法であって、
少なくとも１以上のセグメントから成る階層の信号を、少なくとも２以上多重してデジタル放送信号を送信することを特徴とする。
【００１５】
上記課題を解決する第５の発明は、２以上のセグメントに部分受信階層の信号が多重化されたデジタル放送信号の受信方法であって、
ダイバーシチ方式により、部分受信階層の信号を２以上のセグメントから受信することを特徴とする。
【００１６】
上記課題を解決する第６の発明は、上記第５の発明において、部分受信階層用のセグメントの受信状態が悪化した場合、他のセグメントに多重された部分受信階層の信号を選択して受信することを特徴とする。
【００１７】
上記課題を解決する第７の発明は、上記第５又は第６の発明において、各セグメントの受信信号の誤り率に基づいて、受信するセグメントを選択することを特徴とする。
【００１８】
上記課題を解決する第８の発明は、上記第５の発明において、部分受信階層用のセグメントの部分受信階層信号と、他のセグメントに多重された部分受信階層信号とを、合成ダイバーシチ方式により受信することを特徴とする。
【００１９】
上記課題を解決する第９の発明は、上記第１又は第４の発明において、選択したセグメントの信号の誤り率に基づいて、合成比率を決定することを特徴とする。
【００２０】
上記課題を解決する第１０の発明は、同一の階層の信号が少なくとも２以上多重化されたデジタル放送信号の受信方法であって、
ダイバーシチ方式により、所定の階層信号を、前記２以上多重化されたデジタル放送信号から受信することを特徴とする。
【００２１】
上記課題を解決する第１１の発明は、複数のセグメントから成るデジタル放送信号の送信システムであって、
１セグメントの部分受信階層用の信号を２以上のセグメントに多重してデジタル放送信号を送信する手段を有することを特徴とする。
【００２２】
上記課題を解決する第１２の発明は、上記第１１の発明において、多重するセグメントのうち一つは、部分受信階層用のセグメントであることを特徴とする。
【００２３】
上記課題を解決する第１３の発明は、上記第１１又は第１２の発明において、複数の階層からなるデジタル放送信号を受信する受信手段と、
前記複数の階層からなるデジタル放送信号から、部分受信階層用のセグメントの信号を抽出するバンドパスフィルタと、
前記部分受信階層用のセグメントの信号を、複数のセグメントの周波数に変換して多重化する手段とを有することを特徴とする。
【００２４】
上記課題を解決する第１４の発明は、上記第１１又は第１２の発明において、複数の階層からなるデジタル放送信号を受信する受信手段と、
受信したデジタル放送信号を復調して誤り訂正を行い、再送信する部分受信階層用のデータのみを抽出する手段と、
前記部分受信階層用のデータを複数のセグメントの周波数に変換して多重化する手段とを有することを特徴とする。
【００２５】
上記課題を解決する第１５の発明は、上記第１１又は第１２の発明において、複数の階層からなるデジタル放送信号を受信する受信手段と、
受信したデジタル放送信号を復調し、再送信する部分受信階層用のデータのみを抽出する手段と、
前記部分受信階層用のデータを複数のセグメントの周波数に変換して多重化する手段と
を有することを特徴とする。
【００２６】
上記課題を解決する第１６の発明は、２以上のセグメントに部分受信階層の信号が多重化されたデジタル放送信号の受信機であって、
ダイバーシチ方式により、部分受信階層の信号を２以上のセグメントから受信する手段を有することを特徴とする。
【００２７】
上記課題を解決する第１７の発明は、上記第１６の発明において、部分受信階層用のセグメントの受信状態が悪化した場合、他のセグメントに多重された部分受信階層の信号を選択する受信セグメント選択手段を有することを特徴とする。
【００２８】
上記課題を解決する第１８の発明は、上記第１６又は第１７の発明において、前記受信セグメント選択手段は、各セグメントの受信信号の誤り率に基づいて、受信するセグメントを選択することを特徴とする。
【００２９】
上記課題を解決する第１９の発明は、上記第１６の発明において、部分受信階層用のセグメントの部分受信階層信号と、他のセグメントに多重された部分受信階層信号とを、ダイバーシチ方式により受信する合成手段を有することを特徴とする。
【００３０】
上記課題を解決する第２０の発明は、上記第１６又は１９の発明において、前記合成手段は、選択したセグメントの信号の誤り率に基づいて、合成比率を決定することを特徴とする。
【発明の効果】
【００３１】
本発明は、部分受信のように固定向けの受信よりも受信環境が劣悪な状態であっても、良好な状態で受信することが可能となるという優れた効果を有する。
【発明を実施するための最良の形態】
【００３２】
本発明の実施の形態について説明する。
【００３３】
現在の地上デジタル放送は、図１に示される如く、帯域幅６MHzに１チャンネルが割り当てられ、６MHzの帯域のうち、ガードバンドとして４２９kHzを割り当て、残りの帯域幅を１３個のセグメントに分割したＯＦＤＭ(Orthogonal
Frequency Division Multiplexing)方式によって放送されている。１セグメントの帯域は４２９kHzであり、１３個のセグメントは、例えば、Ａ階層、Ｂ階層、Ｃ階層の３階層に分けることができ、中央部の１セグメントは携帯受信機向けの部分受信階層（Ａ階層）に割り当てられている。尚、部分階層（Ａ階層）に割り当てられた１セグメントは、このセグメント内のみで周波数インターリーブが行われている。
【００３４】
上述のような地上デジタル放送において、本発明では、通常多重されるであろう部分階層以外の信号をセグメントに多重せず、部分階層の信号を１セグメントのみに多重するのではなく、複数のセグメントに多重して送信するものである。図２は、部分階層の信号を２セグメントに多重した場合の例を示したものである。
【００３５】
そして、部分階層を受信する側では、部分階層の信号が多重化されたセグメントの中から、受信状態が最良のセグメントを選択する選択ダイバーシチ方式で受信する。または、部分階層の信号が多重化された複数のセグメントの信号を合成して受信する合成ダイバーシチ方式で受信する。
【００３６】
これにより、帯域（１セグメント）が狭い部分受信階層であっても、マルチパス等の影響による周波数妨害を受けずに最良の受信を行うことができる。
【００３７】
また、部分階層の信号を多重する複数のセグメントのうち１セグメントを、図３に示す如く、通常、多重される中央部の１セグメントにすることが好ましい。部分階層の信号を中央部の１セグメントに多重することにより、ダイバーシチ方式の受信機能がない受信機であっても、本発明の送信方法による放送波を受信することができる。何故なら、ダイバーシチ方式の受信機能がない受信機は、中央部の１セグメントを受信することにより、部分階層の信号を受信するからである。
【００３８】
また、部分階層の信号を多重するセグメントの数は、２つに限定されることなく、図４に示されるように３以上であっても良い。
【００３９】
更に、上述した例では、部分階層が１セグメントで構成される場合について説明したが、これに限ることなく、例えば、図５に示す如く、ある階層（図５ではＢ階層）が３セグメントで構成されている場合、３セグメントを一つの単位として扱い、その単位で複数個多重しても良い。
【００４０】
以下、本発明の具体的な実施例を説明する。
【実施例１】
【００４１】
本発明のデジタル放送波の送信機における実施例１を説明する。
【００４２】
図６は本発明に係る実施例１のデジタル放送波の送信機の一構成例を示す図である。
【００４３】
実施例１の送信機は、図６に示される如く、部分階層の信号を多重するセグメントの周波数に変換する周波数変換部１ａ〜１ｃと、周波数変換された信号を多重化する多重化部２とから構成される。
【００４４】
３個の周波数変換部１ａ〜１ｃの各々は、１セグメントの帯域４２９kHzづつ周波数を変換する機能を有しており、図６に示される例では、周波数変換部１ａは部分受信階層の信号を所定のチャンネルの中心周波数に変換し、周波数変換部１ｂは部分受信階層の信号を所定のチャンネルの中心周波数よりも４２９kHz×２高い周波数に変換し、周波数変換部１ｃは部分受信階層の信号を所定のチャンネルの中心周波数よりも４２９kHz×２低い周波数に変換する。
【００４５】
多重化部２は、周波数変換部１ａ〜１ｃから出力された周波数変換された信号を、所定のセグメントに多重化して出力する。
【００４６】
尚、上述の説明では周波数変換部を３個としたが、これに限ることなく、図７に示す如く、周波数変換部をｎ個用意し、部分受信階層の信号をｎ個多重するように構成しても良い。
【実施例２】
【００４７】
本発明の実施例２を説明する。
【００４８】
デジタル放送システムでは、放送サービスエリアの拡大及び難視聴地域の解消を目的として、ギャップフィラー対策の実施が検討されている。このギャップフィラー対策では、放送波が届かないエリアごとにギャップフィラーと呼ばれる再送信装置（中継装置）を設置するようにしている。
【００４９】
そこで、実施例２では、１３個のセグメントに分割したＯＦＤＭ(Orthogonal Frequency Division Multiplexing)方式の地上デジタル放送波を受信し、受信した地上デジタル放送波から所定の部分受信用の１セグメントを抽出し、抽出した１セグメントの信号を、特定エリア（公園、駅、列車の車内など）に存在する部分受信用の携帯受信機に対して再送信する再送信装置（中継装置）について説明する。
【００５０】
図８は本発明に係る実施例２の再送信装置（中継装置）の構成を示す図である。
【００５１】
実施例２の再送信装置（中継装置）は、図８に示される如く、１３個のセグメントに分割したＯＦＤＭ(Orthogonal Frequency Division Multiplexing)方式の地上デジタル放送波を受信する受信アンテナ１０と、この受信アンテナ１０で受信した地上デジタル放送波から所定の部分受信用の１セグメントを抽出するバンドパスフィルタ１１と、このバンドパスフィルタ１１から出力される１セグメントの放送信号を多重するセグメントの周波数に変換する周波数変換部１ａ〜１ｃと、周波数変換された信号を多重化する多重化部２と、多重化された放送信号を再送信する送信アンテナ１２とから構成される。尚、周波数変換部１ａ〜１ｃと、多重化部２とは、上述した実施例１と同様の構成なので、詳細な説明は省略する。
【００５２】
受信アンテナ１０は、１３個のセグメントに分割された地上デジタル放送波を受信するものである。この地上デジタル放送波は、64QAMでキャリア変調、畳み込み符合r=3/4の固定受信機向けの階層と、QPSKでキャリア変調、畳み込み符合r=1/2の部分受信（携帯受信機）向けの階層とから成り、部分受信（携帯受信機）向けの階層は１セグメントが割り当てられ、この１セグメント内のみで周波数インターリーブが行われている。
【００５３】
バンドパスフィルタ１１は、受信アンテナ１で受信した地上デジタル放送波のうち、部分受信（携帯受信機）向けの階層の１セグメントの帯域を抽出する。部分受信階層は、上述の如く、１セグメント内での周波数インターリーブを行っているので、部分受信用のバンドパスフィルタで抜き出すことが可能である。
【００５４】
以上のように実施例２によれば、受信アンテナ１０で受信した地上デジタル放送波の受信信号から、バンドパスフィルタ１１により、部分受信（携帯受信機）向けの階層の１セグメントのみ抽出し、この信号を周波数変換部１ａは部分受信階層の信号を所定のチャンネルの中心周波数に変換し、周波数変換部１ｂは部分受信階層の信号を所定のチャンネルの中心周波数よりも４２９kHz×２高い周波数に変換し、周波数変換部１ｃは部分受信階層の信号を所定のチャンネルの中心周波数よりも４２９kHz×２低い周波数に変換する。そして、多重化部２において、周波数変換部１ａ〜１ｃから出力された周波数変換された信号を、所定のセグメントに多重化して出力する。この再送信号を再送信アンテナ１２にて、特定エリア（公園、駅、列車の車内など）に向けて再送信する。
【００５５】
これにより、特定エリア（公園、駅、列車の車内など）に存在する固定受信機向けサービスに影響を与えることなく、特定エリア（公園、駅、列車の車内など）に存在する部分受信（携帯受信機）向けの階層の再送信を行うことができる。
【００５６】
尚、上述した実施例２の再送信装置（中継装置）では、デジタル放送波をアンテナで受信して再送信したが、デジタル放送信号を受信する手段はこれに限ることなく、例えば、有線等によりデジタル放送信号を受信して再送信することも可能である。
【実施例３】
【００５７】
本発明の実施例３を説明する。
【００５８】
上述の実施例２では、受信したデジタル放送波から部分受信用の階層のみを、バンドパスフィルタで抽出して再送信した。これは、部分受信用の階層内のみで周波数インターリーブ、例えば、１セグメント内のみで周波数インターリーブが行われている場合に適用ができる。しかしながら、再送信する階層が階層内のみで周波数インターリーブが行われていない場合もある。そこで、実施例３では、このような場合であっても、再送信できるようにする為に、受信したデジタル放送波を復調後、必要な階層のみを抽出して再度変調を行って再送信する例を説明する。
【００５９】
図９は実施例３の構成を示すブロック図である。
【００６０】
実施例３における再送信装置（中継装置）は、受信アンテナ２１と、チューナ２２と、復調部２３と、誤り訂正部２４と、復号部２５，２６と、部分受信階層抽出部２７と、多重化処理部２８と、変調部２９と、送信部３０と、送信アンテナ３１とから構成される。尚、多重化処理部２８は、上述した実施例１の周波数変換部１ａ〜１ｃ及び多重化部２から構成されている。
【００６１】
受信アンテナ２１で受けた受信信号はチューナ２２に供給される。ここで、希望のチャンネルを選局し、ＩＦ帯のＯＦＤＭ信号（以下、ＯＦＤＭ−ＩＦ信号）を得る。このＯＦＤＭ−ＩＦ信号は、復調部２５に供給される。この復調部２３は、ＯＦＤＭ−ＩＦ信号をＦＦＴ（高速フーリエ変換）処理することによってデジタル放送信号を復調する。
【００６２】
この復調処理によって得られたデジタル放送信号は、誤り訂正部２４により、誤り訂正が行われ、これによって伝送中にノイズやフェージング等によって損傷を受けたデータが復元される。そして、誤り訂正されたデジタル放送信号は、番組などの放送内容であるＴＳ信号と、放送伝送制御信号であるＴＭＣＣ（Transmission and Multiplexing Configuration Control）信号及びＡＣ（Auxiliary
Channel）信号の２つに分けられ、それぞれＴＳ復号部２５、ＴＭＣＣ＆ＡＣ復号部２６に供給される。
【００６３】
ＴＳ信号は、ＴＳ復号部２５に供給されて復号が行われる。また、ＴＳ復号部２５では、ＴＳ信号（放送波）には直接含まれない階層情報をＴＳの送信パターン等から再生成し、部分受信階層抽出部２７に供給する。
【００６４】
部分受信階層抽出部２７は、再生成されたデータから部分階層のデータのみを抽出し、多重化処理部２８に供給する。
【００６５】
一方、ＴＭＣＣ信号及びＡＣ信号は、ＴＭＣＣ＆ＡＣ復号部２６により、復号処理が行われ、多重化処理部２８に供給される。
【００６６】
多重化処理部２８は、上述した実施例１の如く、部分階層のデータを周波数変換すると共に、再構成されたＴＳ信号、ＴＭＣＣ信号及びＡＣ信号を、時分割多重化し、変調部２９に供給する。
【００６７】
変調部２９は、多重化された信号をＯＦＤＭ変調し、送信部３０に供給する。
【００６８】
送信部３０は、ＯＦＤＭ変調信号を所定の増幅度で増幅し、この再送信号を、送信アンテナ３１を介して、特定エリア（公園、駅、列車の車内など）に再送信する。
【００６９】
これにより、特定エリア（公園、駅、列車の車内など）に存在する固定受信機向けサービスに影響を与えることなく、部分受信（携帯受信機）向けの階層の再送信を行うことができる。
【００７０】
尚、上述の実施例では、誤り訂正部２４により誤り訂正を行ったが、誤り訂正を行うことなく復号し、部分受信階層抽出部２７、多重化処理部２８に供給するように構成しても良い。
【００７１】
また、上述した実施例３の再送信装置（中継装置）では、デジタル放送波をアンテナで受信して再送信したが、デジタル放送信号を受信する手段はこれに限ることなく、例えば、有線等によりデジタル放送信号を受信して再送信することも可能である。
【実施例４】
【００７２】
本発明の実施例４を説明する。
【００７３】
上記の実施例１から実施例３では、本発明の送信装置（中継装置）に係る一実施例について説明した。実施例４では、実施例１から実施例３で説明した送信装置（中継装置）によって送信された放送波を受信する受信機について説明する。
【００７４】
図１０は実施例４における受信機の要部の構成図である。
【００７５】
実施例４の受信機は、３つの受信系Ａと、受信系Ｂと、受信系Ｃと、比較部５４と、選択部５５とを有する。そして、各受信系は、受信アンテナ５０と、チューナ５１と、復調部５２と、誤り率検出部５３とから構成される。
【００７６】
各受信系は、放送波を受信アンテナ５０で受信し、チューナ５１により部分受信階層が多重化されているセグメントの信号を選局する。例えば、中央部のセグメントと、この中央部の周波数より４２９kHz×２周波数が高い又は低いセグメントとに部分階層の信号が多重されている放送波を受信する場合、受信系Ａのチューナ５１は所定チャンネルの中央部のセグメントに多重されている部分階層の信号を選局し、受信系Ｂのチューナ５１は中央部のセグメントの周波数より４２９kHz×２周波数が高いセグメントに多重されている部分階層の信号を選局し、受信系Ｃのチューナ５１は中央部のセグメントの周波数より４２９kHz×２周波数が低いセグメントに多重されている部分階層の信号を選局する。復調部５２は、選局された部分階層の信号を復調し、これを誤り率検出部５３に出力する。誤り率検出部５３は、復調された信号の誤り率を検出する。
【００７７】
このようにして、各受信系より受信した信号の誤り率が検出され、検出された誤り率は比較部５４に供給される。
【００７８】
比較部５４では、各受信系の誤り率を比較し、最も誤り率の低い（受信状態が良好）受信系を選択するように選択部５５を制御する。
【００７９】
選択部５５は、比較部５４より指示された誤り率の最も低い受信系の信号を選択して出力し、復号を行う。
【００８０】
このようにして、複数のセグメントに多重された部分階層信号の中から、最も受信状態の良いセグメントに多重された部分階層信号を選択ダイバーシチにて受信する。
【００８１】
尚、上述の本実施例では、最も誤り率の低いセグメントの信号を選択するように構成したが、まず、中央部のセグメント（通常部分階層の信号が多重されている）の信号を選択し、このセグメントの信号の誤り率が所定の値を超えた場合に、最も誤り率の低いセグメントの信号を選択するように構成しても良い。
【実施例５】
【００８２】
本発明の実施例５を説明する。
【００８３】
上記の実施例４は複数のセグメントに多重された部分階層信号の中から、最も受信状態の良いセグメントに多重された部分階層信号を選択する選択ダイバーシチの受信機について説明した。実施例５では、各セグメントに多重された信号の誤り率に応じて、各信号を重み付けした後に合成して受信する合成ダイバーシチの受信機について説明する。
【００８４】
図１１は実施例５における受信機の要部の構成図である。
【００８５】
実施例５の受信機は、３つの受信系Ａと、受信系Ｂと、受信系Ｃと、重み付け制御部４５と、合成部４６とを有する。そして、各受信系は、受信アンテナ４０と、チューナ４１と、復調部４２と、誤り率検出部４３と、重み付け部４４とから構成される。
【００８６】
各受信系は、放送波を受信アンテナ４０で受信し、チューナ４１により部分受信階層が多重化されているセグメントの信号を選局する。例えば、中央部のセグメントと、この中央部の周波数より４２９kHz×２周波数が高い又は低いセグメントとに部分階層の信号が多重されている放送波を受信する場合、受信系Ａのチューナ４１は所定チャンネルの中央部のセグメントに多重されている部分階層の信号を選局し、受信系Ｂのチューナ４１は中央部のセグメントの周波数より４２９kHz×２周波数が高いセグメントに多重されている部分階層の信号を選局し、受信系Ｃのチューナ４１は中央部のセグメントの周波数より４２９kHz×２周波数が低いセグメントに多重されている部分階層の信号を選局する。復調部４２は、選局された部分階層の信号を復調し、これを誤り率検出部４３に出力する。誤り率検出部４３は、復調された信号の誤り率を検出する。
【００８７】
このようにして、各受信系より受信した信号の誤り率が検出され、検出された誤り率は重み付け制御部４５に供給される。
【００８８】
重み付け制御部４５では、各受信系の誤り率に基づいて、各重み付け部４４の信号に対する重み付けを制御する。例えば、受信系Ａの誤り率が３０％、受信系Ｂの誤り率が５０％、受信系Ｃの誤り率が２０％である場合、受信系Ａの重み付け部４４と受信系Ｂの重み付け部４４と受信系Ｃの重み付け部４４との重み付けの割合が、２：５：３となるように各重み付け部４４の信号に対する重み付けを制御する。
【００８９】
合成部４６は、重み付け制御部４５から出力された信号を合成して出力する。出力された信号は、復号処理される。
【００９０】
このようにして、複数のセグメントに多重された部分階層信号を、受信状態に応じて合成する合成ダイバーシチにて受信する。
【図面の簡単な説明】
【００９１】
【図１】図１は本発明の実施の形態を説明するための図である。
【図２】図２は部分階層の信号を２セグメントに多重した場合の例を示した図である。
【図３】図３は部分階層の信号を２セグメントに多重した場合の例を示した図である。
【図４】図４は部分階層の信号を３セグメントに多重した場合の例を示した図である。
【図５】図５は所定の階層を多重した場合を示す図である。
【図６】図６は本発明に係る実施例１のデジタル放送波の送信機の一構成例を示す図である。
【図７】図７は本発明に係る実施例１のデジタル放送波の他の送信機の一構成例を示す図である。
【図８】図８は本発明に係る実施例２の再送信装置（中継装置）の構成を示す図である。
【図９】図９は実施例３の再送信装置（中継装置）の構成を示す図である。
【図１０】図１０は実施例４における受信機の要部の構成図である。
【図１１】図１１は実施例５における受信機の要部の構成図である。
【符号の説明】
【００９２】
１ａ〜１ｃ      周波数変換部
２              多重化部
１０            受信アンテナ
１１            バンドパスフィルタ
１２            再送信アンテナ
２１            受信アンテナ
２２            チューナ
２３            復調部
２４            誤り訂正部
２５，２６      復号部
２７            部分受信階層抽出部
２８            多重化処理部
２９            変調部
３０            送信部
３１            送信アンテナ
４５            重み付け制御部
４６            合成部
４０            受信アンテナ
４１            チューナ
４２            復調部
４３            誤り率検出部
４４            重み付け部
５０            受信アンテナ
５１            チューナ
５２            復調部
５３            誤り率検出部
５４            比較部
５５            選択部
【図１】
2006020128.tif 000003
【図２】
2006020128.tif 000004
【図３】
2006020128.tif 000005
【図４】
2006020128.tif 000006
【図５】
2006020128.tif 000007
【図６】
2006020128.tif 000008
【図７】
2006020128.tif 000009
【図８】
2006020128.tif 000010
【図９】
2006020128.tif 000011
【図１０】
2006020128.tif 000012
【図１１】
2006020128.tif 000013